(57)【要約】      （修正有）【課題】連続して炊飯が行われることで、高温となった炊飯釜の感知部が冷えるのを待つこと無く次の炊飯が自動的に開始する炊飯待機機能を持った炊飯器を提供する。【解決手段】炊飯釜の温度を感知する温度センサと、炊飯の開始を入力する炊飯開始ボタンを備えた操作部７を備えた炊飯器１であって、炊飯釜を加熱室内に収容し、炊飯開始ボタンを押しておくことで、温度センサの温度が炊飯開始可能温度まで下降した時に制御部が炊飯釜の炊飯を自動的に開始させる。【選択図】図１
2019080708.tif 000002
【特許請求の範囲】
【請求項１】
炊飯が行われる加熱室を有した炊飯器本体と、加熱室内に収容される炊飯釜と、
炊飯釜を加熱する加熱手段と、炊飯釜の温度を感知する温度センサと、
温度センサの温度情報に基づいて加熱手段を制御する制御部と、
炊飯の開始を入力する炊飯開始ボタンを有した操作部を備えた炊飯器であって、
前記制御部は、
前記炊飯釜を前記加熱室内に収容し前記炊飯開始ボタンを押しておくことで、前記温度センサの温度が炊飯開始可能温度まで下降した時に前記炊飯釜の炊飯を自動的に開始させることを特徴とする、炊飯器。
【請求項２】
請求項１記載の炊飯器であって、
前記制御部は、
前記温度センサの温度が所定時間内に前記炊飯開始可能温度まで下降した場合は、前記加熱室内に収容した前記炊飯釜の炊飯を開始し、
前記温度センサの温度が所定時間を経過して前記炊飯開始可能温度まで下降した場合は、加熱完了温度を変更した上で前記加熱室内に収容した前記炊飯釜の炊飯を開始することを特徴とする、炊飯器。
【発明の詳細な説明】
【技術分野】
【０００１】
本発明は、連続して炊飯が行われることで、炊飯釜の温度を感知する感知部が高温となった状態から冷えるのを待って炊飯を自動的に開始する炊飯待機機能を持った炊飯器に関するものである。
【背景技術】
【０００２】
従来から、温度センサを用いて炊飯を行う炊飯器が知られている。炊飯釜の下方に、炊飯釜の平坦な底面に接するように設けられた釜底の温度を感知する温度センサを備え、炊飯中に炊飯釜の温度が所定温度を超えたことを感知すると、炊飯釜内に水が残っていないと判断して加熱を停止し、蒸らしに入る。ところが、連続して炊飯が行われていくと、温度センサ自身の温度が十分に下がりきらず高温のまま次の炊飯をスタートさせる為、炊飯釜の温度を正確に感知することができずに早切れを起こすようになり、２回目以降のご飯の炊き上がりにばらつきが生じていた。
【０００３】
下記文献１に示される連続調理用加熱調理装置は、かかる問題を解消するために温度センサの周囲に冷却手段を設け、温度センサが所定温度まで下降してから連続的に炊飯ができるとしている。
【先行技術文献】
【特許文献】
【０００４】
【特許文献１】特開２００５−３４９２２６号公報
【発明の概要】
【発明が解決しようとする課題】
【０００５】
しかしながら、特許文献１に記載された連続調理用加熱調理装置は、温度センサの周囲に冷媒を流入させる管を配置する構成としており、冷媒を使って温度センサを冷やすことによって温度センサの周囲に結露が発生し、温度センサがショートして故障の原因となる問題が生じる。
【０００６】
本発明はこのような問題点を考慮してなされたもので、冷媒を使うことなく高温となった温度センサを冷やす手段として次に投入された加熱前の炊飯釜と接触させて冷却させ、続けて炊飯ができるようにし、また、従来は温度センサが冷えるまで炊飯開始ボタンを押すことができなかったが、炊飯開始ボタンを予め押しておけば、温度センサが所定温度まで冷えるのを待って自動的に炊飯を開始させることができる炊飯器を提供することを目的とする。
【課題を解決するための手段】
【０００７】
上記課題を解決するために、本発明は次のような構成および手段を有する。
【０００８】
請求項１記載の発明は、炊飯が行われる加熱室を有した炊飯器本体と、加熱室内に収容される炊飯釜と、炊飯釜を加熱する加熱手段と、炊飯釜の温度を感知する温度センサと、温度センサの温度情報に基づいて加熱手段を制御する制御部と、炊飯の開始を入力する炊飯開始ボタンを有した操作部を備えた炊飯器であって、前記制御部は、前記炊飯釜を前記加熱室内に収容し前記炊飯開始ボタンを押しておくことで、前記温度センサの温度が炊飯開始可能温度まで下降した時に前記炊飯釜の炊飯を自動的に開始させることを特徴とするものである。
【０００９】
請求項２記載の発明は、前記制御部は、前記温度センサの温度が所定時間内に前記炊飯開始可能温度まで下降した場合は、前記加熱室内に収容した前記炊飯釜の炊飯を開始し、前記温度センサの温度が所定時間を経過して前記炊飯開始可能温度まで下降した場合は、加熱完了温度を変更した上で前記加熱室内に収容した前記炊飯釜の炊飯を開始することを特徴とするものである。
【発明の効果】
【００１０】
請求項１記載の発明においては、強制冷却のように短時間で冷却はできないが、炊飯釜をセットして炊飯開始ボタンを押しておけば、温度センサは新たに投入された炊飯釜により冷却され、温度センサ自体の温度が炊飯開始可能温度まで下がるのを待って自動的に炊飯を開始させるため、作業者は温度センサの温度が下がるまで待って炊飯開始ボタンを押す必要がなく、予め炊飯開始ボタンを押しているので炊飯開始ボタンを押し忘れることもなく他の作業に取り掛かることができる。
【００１１】
請求項２記載の発明においては、温度センサの温度が下がりにくい場合、加熱完了温度を自動的に変更することで、炊飯の加熱を早く完了してしまうのを防ぎ、初回の炊飯と同様の炊き上がりを安定して得ることができる。
【図面の簡単な説明】
【００１２】
【図１】本発明の実施形態に係る炊飯器の正面図である。
【図２】本発明の実施形態に係る炊飯器の側面断面図であり、（ａ）は扉を開放した時、（ｂ）は扉を閉めた時の状態を示す。
【図３】本発明の実施形態に係る炊飯器のブロック図である。
【図４】本発明の実施形態に係る炊飯器の制御フロー図である。
【図５】本発明の実施形態に係る炊飯器の初回炊飯時の炊飯曲線を示した図である。
【図６】本発明の実施形態に係る炊飯器の前回の炊飯完了後から次の炊飯完了までの炊飯曲線を示したものであり、（ａ）は温度センサの温度が所定時間内に炊飯開始可能温度まで下降した場合（実線）と、所定時間を超えて炊飯開始可能温度まで下降した場合（一点鎖線）であり、（ｂ）は加熱完了温度を変更した場合の炊飯曲線の部分拡大図である。
【発明を実施するための形態】
【００１３】
以下、本発明の実施の形態を図面に基づいて説明する。
【００１４】
図１、２に示す通り、炊飯器１は、箱型の炊飯器本体１１と、炊飯器本体１１の内部を上下方向に１つ以上に区切られた複数の矩形状からなる加熱室４と、各加熱室４の前面開口をそれぞれ開閉する扉２と、加熱室４内に出し入れ可能に収納される炊飯釜３と、炊飯釜３を加熱するバーナ５と、炊飯釜３の温度を感知する温度センサ６を有し、炊飯器本体１１の上部に配設し作業者が炊飯器１を操作する操作部７、および温度センサ６や操作部７からの情報を基にバーナの運転を制御する制御部８とで構成されている。
【００１５】
炊飯釜３は、下面を有底とし上面が開口した円筒状を形成し、加熱室４内を出し入れ自在に収容されている。炊飯釜３の釜底の中央付近には、後述する温度センサ６が接触する部分で平面状にくぼみを有した凹状部３１を備える。なお、炊飯釜３は加熱室４の形状に合わせた矩形状としてもよい。
【００１６】
温度センサ６は、炊飯中に炊飯釜３の釜底にある凹状部３１と接触しながら釜底の温度を感知する感知部６１と、この感知部６１の周囲を覆ってバーナ５の火炎や輻射熱の影響を受けにくくするためのハウジング６３を備えている。
【００１７】
感知部６１は、後述する制御部８と電気的に接続され、ハウジング６３内に上下動可能に配置され、その下方に設けたスプリング６２によって常に上方に付勢されている。また、感知部６１は凸形の上下２段構造を成し、上面部が炊飯釜３の凹状部３１と当接して釜底の温度を感知するようになっている。
【００１８】
ハウジング６３は、加熱室４の底部中央に位置した円筒状を形成する。ハウジング６３は、金属製からなる４層に構成されており、外側の大筒体６４と、大筒体６４の内側に形成された２層の中筒体６５と、さらに中筒体６５の内側に形成された小筒体６６からなる。各筒体６４、６５、６６の間には、加熱室４内のバーナ５によってハウジング６３の側面から受けた熱を中央の感知部６１に伝えにくくするための断熱材６７がそれぞれ挟み込まれている。なお、小筒体６６の上端の開口は、側面上縁から垂直に内側へ折り曲げた折り曲げ部を有しており、小筒体６６の上部に位置している感知部６１は、凸形の上部分が折り曲げ部より上方へ突出し、下部分が折り曲げ部より上方へと抜けないようになっている。
【００１９】
そして炊飯釜３を加熱室４内に収容して扉２を閉めると、感知部６１はハウジング６３の上昇と共に釜底の凹状部３１と接触し、さらに下降可能となっている感知部６１を釜底が押し下げた状態となる。かかる構造により、感知部６１の上面部は炊飯中、常に炊飯釜３の釜底の凹状部３１と接触し続けて釜底の温度を感知するようになっている。
【００２０】
また、ハウジング６３は扉２の開閉に連動して上下方向に昇降する。扉２を開放している時のハウジング６３の上面は出し入れされる炊飯釜３の釜底に接触しない程度に下方に離間して位置している（図２（ａ）参照）。扉２を閉めると、ハウジング６３は上昇する。ハウジング６３の下方に設けたスプリング６８によって加熱室４内に収容した炊飯釜３の釜底とハウジング６３の上面とが接触し、さらに下降可能となっているハウジング６３を釜底が押し下げた状態となっている。（図２（ｂ）参照）。なお、釜底の凹状部３１の直径はハウジング６３の大筒体６４の直径より大きく、上昇したハウジング６３の上面が凹状部３１に接触するようになっている。かかる構造により、ハウジング６３の上面は炊飯中、常に炊飯釜３の釜底の凹状部３１と接触し続けて、ハウジング６３が感知部６１を囲んだ状態とし、炊飯中に感知部６１がバーナ５の火炎や輻射熱の影響を受けにくくするようになっている。
【００２１】
バーナ５は、ガス接続口５１から供給されたガスと吸気口５２から取り入れた空気を混合し、ドーナツ状のバーナヘッド５３から混合ガスを噴出させて燃焼する。バーナヘッド５３の中央部分には、温度センサ６が位置している。バーナ５のオンオフや火力調節は、後述する制御部８と電気的に接続されたガス供給路の電磁弁（図示せず）によって行われる。
【００２２】
図３に示す通り、操作部７には電源ボタン７１、炊飯開始ボタン７２、取消ボタン７３、炊飯開始灯７４、および点火灯７５を設けおり、操作部７で入力した情報は、電気的に接続された制御部８へ送信される。
【００２３】
制御部８は、予め記憶されたプログラムから各炊飯工程（予熱工程、昇温工程、沸騰維持工程、蒸らし工程）に適した加熱時間や加熱開始時刻を実行してバーナ５へのガスの供給を制御する。また、炊飯開始から完了までの各炊飯工程の温度制御を、温度センサ６の感知温度に基づいて行う。さらに、炊飯開始前の温度センサ６の感知温度に基づいて、炊飯釜３の炊飯開始時期を制御する。
【００２４】
具体的な制御は、図４のフローチャートに示す。まず、操作部７の電源ボタン７１をオンにし（ステップ１）、炊飯開始ボタン７２を押す（ステップ２）と、炊飯開始ボタン７２を押してから温度センサの温度ＴＳが炊飯開始可能温度Ｔ１以下になるまでの時間（以下、待機時間Ｗ）の計測を開始する（ステップ３）。次に、温度センサの温度ＴＳが炊飯開始可能温度Ｔ１以下であるかを判断する。温度センサの温度ＴＳが炊飯開始可能温度Ｔ１を上回っている場合は、炊飯開始温度Ｔ１以下になるまで次のステップには進まない。温度センサの温度ＴＳが炊飯開始可能温度Ｔ１以下になれば、次のステップに進む。次のステップでは、ステップ３で計測した待機時間Ｗが所定時間を経過しているかを判断する。待機時間Ｗが所定時間以下のときは、次のステップに進む。待機時間Ｗが所定時間を超えている場合は、沸騰維持工程から蒸らし工程へ移行する際のトリガとなる加熱完了温度Ｔ３を変更して（ステップ４）、次のステップに進む。次のステップでは、ガスを供給してバーナ５の加熱を開始する（ステップ５）。予め設定した炊飯工程を完了すれば、制御部８はガスの供給を止めてバーナ５の加熱を停止し、操作部７の電源ボタン７１または取消ボタン７３を押して炊飯を完了する（ステップ６）。同じ加熱室４を用いて連続して炊飯を行なう場合は、電源ボタン７１を押す手前のステップ１まで戻り、炊飯を終える場合は制御フローを終了する。
【００２５】
次に、本発明に係る炊飯器１の動作について実施例に基づいて説明する。
【００２６】
本実施例における炊飯器１は、炊飯器本体１１に上下３段に重ねた加熱室４を備える立体型の炊飯器である。炊飯釜３に米と水を所定量投入して蓋をし、ある段の加熱室４を開口する扉２を開いて加熱室４内へ収容する。
【００２７】
扉２を閉めると、下降していた温度センサ６が上昇し、感知部６１およびハウジング６３はスプリング６２、６８の付勢力を常に受けた状態で炊飯釜３の釜底の凹状部３１と当接する。
【００２８】
まず、初めて炊飯する場合の実施例を説明する。操作部７の電源ボタン７１を押して電源を投入する。操作部８の炊飯開始ボタン７２を押すと、操作部８の炊飯開始灯７４が点灯する。初回の炊飯であるため、温度センサの温度ＴＳは炊飯開始可能温度Ｔ１よりも低く、待機時間Ｗも所定時間以下であるため、制御部８は直ぐにガスを供給してバーナ５の加熱を開始する。図示しない炎検知手段により制御部７が炎を検知すると点火灯７５が点灯し、作業者はバーナに炎が点火し炊飯が開始されたことを知ることができる。
【００２９】
制御部８は、予め記憶した炊飯工程に基づいて炊飯を開始する。図５に示す通り、予熱工程では、炊飯釜３内の米が浸漬し易い温度を維持するように所定時間バーナ５のオンオフを行う。なお、炊飯前に予め浸漬を済ませた米を用いる場合は、予熱工程を省略した炊飯工程を制御部８に記憶させて炊飯を開始してもよい。
【００３０】
予熱工程の後、昇温工程に入り、炊飯釜３内の米と水が沸騰温度に到達するまで加熱を続ける。バーナ５による加熱を続け、温度センサの温度ＴＳが沸騰維持温度Ｔ２（例えば、１０２℃）を感知した時に昇温工程は終了し、次の沸騰維持工程に入る。
【００３１】
沸騰維持工程では、制御部８は、沸騰維持温度Ｔ２を維持するように所定時間加熱を行う。炊飯釜３内の水は蒸発して次第に少なくなり、釜底に水が殆ど無い状態になると釜底の温度は上昇する。制御部８は、温度センサの温度ＴＳが加熱完了温度Ｔ３（例えば、１０４℃）を感知した時にバーナ５の加熱を止める。温度センサの温度ＴＳは、やがて下降して次の蒸らし工程に入る。
【００３２】
蒸らし工程では、制御部８は、蒸らし温度を維持するように所定時間バーナ５のオンオフを行う。なお、蒸らし工程ではバーナ５による加熱を行わず、炊飯釜３の余熱と加熱室４内の輻射熱のみで蒸らしを行ってもよい。以上の工程を終えて、操作部７の電源ボタン７１または取消ボタン７３を押すと炊飯開始灯７４は消灯し、初回の炊飯が完了する。
【００３３】
次に、連続して炊飯する場合の実施例を説明する。扉２を開けると、温度センサ６が下降し、温度センサ６の感知部６１およびハウジング６３と炊飯釜３の釜底の凹状部３１とが離間して炊飯釜３が加熱室４から取り出せる状態となる。炊飯を終えた炊飯釜３を取り出し、米と水が入った次に炊飯を行う炊飯釜３を加熱室４内へ投入して扉２を閉める。作業者は、操作部７の電源ボタン７１を押した後、炊飯開始ボタン７２を押す。
【００３４】
この時、温度センサ６は上昇し、釜底に当接しているが、炊飯完了直後の温度センサ６の感知部６１自体は、初回の時に加熱された炊飯釜３の釜底から熱を受けて高く、その影響によって温度センサの温度ＴＳは炊飯開始可能温度Ｔ１より高いため、待機状態となる。このことから、炊飯開始ボタン７２を押すと炊飯開始灯７４は待機状態を示す点滅状態となり、バーナ５の加熱を開始しない。そして温度センサ６の感知部６１自体の熱は、炊飯釜３により早く下がり、温度センサの温度ＴＳが炊飯開始可能温度Ｔ１（例えば、６０℃）まで下降すると、炊飯開始灯７４は点灯状態となってバーナの加熱が開始される。
【００３５】
このようなことから、作業者は次の炊飯釜３をセットして炊飯開始ボタン７２を押しておけば、温度センサ６が炊飯開始可能温度Ｔ１まで下がるのを待って炊飯開始ボタン７２を押す必要が無くなるため、他の作業に取り掛かることができる。待機中、温度センサ６の感知部６１は加熱室４内に投入した加熱前の炊飯釜３と当接しているため、次の炊飯釜３を投入せずに感知部６１が冷えるのを待つときと比べて感知部６１の冷却はより促進される。
【００３６】
なお、同じ加熱室４を用いて初回から連続炊飯の炊飯回数が少ない時点では、温度センサ６のハウジング６３部分が加熱されていたとしてもまだ比較的高温になっておらず、次に炊飯を行う炊飯釜３の釜底の凹状部３１と当接した感知部６１自体の温度は、ハウジング６３部分の温度の影響をあまり受けることなく炊飯開始可能温度ＴＳまで比較的早く下がり、図６（ａ）の実線で示す通り、正常に炊飯を行うことができる。
【００３７】
つまり、炊飯釜３の底面と接触した温度センサの温度ＴＳが所定時間内に炊飯開始可能温度Ｔ１まで下がる場合は、初回と同様の炊飯工程により炊飯が行われる。このように繰り返し炊飯が行われることで温度センサ６のハウジング６３部分や、加熱室４全体が熱を持つようになったとしても、投入された炊飯釜の表面に受ける熱が初回に炊飯するときと同じ炊飯工程によって炊飯釜３を加熱したときの釜底の温度変化にさほど影響を与えることなく炊飯が完了するまで行われる。
【００３８】
しかし、さらに連続的な炊飯が行われていくと、温度センサ６の感知部６１は、たとえ周囲を断熱性のあるハウジング６３に囲まれていてもハウジング６３自体が高温の熱を保持し、その影響を受けるようになる。また、加熱室４内全体が繰り返し加熱されていくことで高温の熱を持つようになり、そこへ投入された炊飯釜３の表面さえも温度が上昇してしまい、温度センサ６の感知部６１は、たとえ釜底に接触していても温度が下がりにくくなる。結果として温度センサの温度ＴＳは所定時間内に炊飯開始可能温度Ｔ１まで下降することがなく、そのまま炊飯を開始しても初回の炊飯曲線とは異なった温度カーブを描くようになる。
【００３９】
このため、温度センサの温度ＴＳが炊飯開始可能温度Ｔ１まで下がってから炊飯を開始したとしても、図６（ａ）の一点鎖線で示す通り、待機時間Ｗは長くなり、また沸騰維持工程ではガスで加熱されているだけでなく、加熱室４全体が持つ熱の影響によって炊飯釜３の表面も初回の炊飯の時より熱くなることから、通常の沸騰維持温度Ｔ２よりも高温を維持した状態となる。かかる状態で炊飯を行うと、通常なら釜底に水が殆ど無い状態と判断される加熱完了温度Ｔ３に予定より短い時間で到達することによって炊飯途中でバーナ５の加熱を止めてしまい、制御部８は釜内にまだ水が残って米が十分に炊き上がらないまま蒸らし工程に入ってしまうので、適切な仕上がりのご飯を得ることができない。
【００４０】
そこで、温度センサの温度ＴＳが炊飯開始可能温度Ｔ１まで下降するまでの待機時間Ｗが所定時間（例えば、２分）を経過した場合において、制御部８は、炊飯の加熱完了温度Ｔ３を、予め設定してある加熱完了温度Ｔ３へと自動的に上げて加熱を行う。
【００４１】
以下に示す実施例では、加熱完了温度Ｔ３を例えば１０４℃から１０６℃に変更した上で、次の炊飯を開始する。連続的に炊飯を行った温度センサ６は、ハウジング６３部分が熱を保持して高温となり、また加熱室４全体からの輻射熱を受けて既に熱を持って高温となっているため、次の炊飯釜３の釜底に温度センサ６が接触しても感知部６１の温度が下がりにくい状況となり、炊飯開始可能温度Ｔ１まで感知部６１の温度が下がるのに時間が掛かることとなる。
【００４２】
また、炊飯を開始する炊飯釜３においても、加熱室４内が高温状態となっているため、バーナ５だけの加熱時と比べて炊飯釜３表面に対する加熱が強くなり、早く温度上昇するだけでなく沸騰時の炊飯釜３の温度は沸騰維持温度Ｔ２よりも高く維持されることになる。
【００４３】
このような状態の中にある温度センサの温度ＴＳは、初回および連続回数が少ない場合の沸騰維持温度Ｔ２より早い時間で高い温度（例えば、１０３℃）にまで上昇してしまう状況にある。そして沸騰維持工程が終わりに近づいた時、具体的には図６（ｂ）に示す通り、炊飯釜３内の水が無くなり始めたとして温度センサの温度ＴＳがほんのわずか上昇し始めたとき、加熱完了温度Ｔ３が変更前の１０４℃のままだと、温度センサ６は沸騰維持温度Ｔ２から１℃上がる間の短い時間（△ｔ１）で直ぐに加熱完了温度Ｔ３を感知してしまう。このため、制御部８は炊飯釜３内の水がまだ十分に蒸発し切らないままバーナ５の加熱を止め、次の蒸らし工程に入ってしまう。しかし、加熱完了温度Ｔ３を１０６℃に変更すれば、温度センサの温度ＴＳが３℃上昇する迄の時間分（△ｔ２）バーナ５はより長く加熱を続ける為、その間に炊飯釜３内の水は蒸発し、バーナ５が早切れすることなく炊飯釜３内の水は蒸発した上で次の蒸らし工程に入ることができる。
【００４４】
このようにして、連続して炊飯を行うとき、温度センサ６の温度ＴＳが下がりにくい場合でも加熱室４内に炊飯釜３を投入し、炊飯開始ボタン７２を押しておくことで、自動で加熱完了温度Ｔ３を変更した上で炊飯器１が適切なときに炊飯を開始するので、炊飯開始ボタン７２の押し忘れを防ぐことができる。また、連続的に炊飯しても初回の炊飯と同様の炊き上がりを安定して得ることができる。
【００４５】
以上、本発明の実施形態について詳述したが、本発明は、前記の実施形態に限定されるものではなく、本発明の目的を逸脱しない範囲内で適宜改変することが可能である。
【００４６】
本実施形態の制御部８ではガス式の炊飯器を用いているが、これに限定されず、カーボンヒータ等を用いた電気式の炊飯器でも同様の作用効果を奏することが可能である。
【００４７】
また、温度センサ６に安全機構を設け、炊飯釜３の釜底がスプリング６２、６８の付勢力に抗しながら感知部６１およびハウジング６３を押し下げたときに、バーナ２５の加熱を許可する構成としてもよい。
【００４８】
また、本実施例では蒸らし工程が完了するとバーナ５の加熱を止めてそのまま炊飯工程を終えているが、蒸らし工程後に焼き上げ工程を追加してもよい。
【００４９】
なお、本実施例において、制御部８は、温度センサの温度ＴＳが炊飯開始可能温度Ｔ１まで下がるのを待ってから自動的に炊飯を開始する構成としているが、これに限定されず、温度センサの温度ＴＳが炊飯開始可能温度Ｔ１まで下がると予測される時間を予め設定し、予測時間を経過した後、自動的に炊飯を開始する構成としてもよい。
【符号の説明】
【００５０】
１    炊飯器
１１  炊飯器本体
２    扉
３    炊飯釜
３１  凹状部
４    加熱室
５    バーナ
５１  ガス接続口
５２  吸気口
５３  バーナヘッド
６    温度センサ
６１  感知部
６２  スプリング
６３  ハウジング
６４  大筒体
６５  中筒体
６６  小筒体
６７  断熱材
６８  スプリング
７    操作部
７１  電源ボタン
７２  炊飯開始ボタン
７３  取消ボタン
７４  炊飯開始灯
７５  点火灯
８    制御部
ＴＳ  温度センサの温度
Ｔ１  炊飯開始可能温度
Ｔ２  沸騰維持温度
Ｔ３  加熱完了温度
Ｗ    待機時間
【図１】
2019080708.tif 000003
【図２】
2019080708.tif 000004
【図３】
2019080708.tif 000005
【図４】
2019080708.tif 000006
【図５】
2019080708.tif 000007
【図６】
2019080708.tif 000008